(57)【特許請求の範囲】
【請求項１】
車両情報を表した画像（Ｄ）の表示光（Ｐ）を射出するプロジェクタ（２０）と、
前記表示光が投射されることにより前記画像を表示するスクリーン（３０）と、
を備え、
前記スクリーンは、斜面（３１ａ）を有する隆起部（３１）を有し、
前記スクリーンに表示される画像には、前記斜面に表示されるとともに、数字、文字または図柄を表した複数の要素画像（Ｄ１８ａ、Ｄ１８ｂ、Ｄ１８ｃ）を組み合わせて構成された表意画像（Ｄ１２〜Ｄ１９）が含まれており、
前記複数の要素画像は、前記斜面を下る方向とは交差する方向に並べて配置されていることを特徴とする車両用表示装置。
【請求項２】
前記スクリーンに表示される画像には、前記車両情報に応じて回転する指針を表した指針画像（Ｄ１０ａ）、および前記指針画像により指し示される目盛りを表した目盛り画像（Ｄ２１）が含まれており、
前記複数の要素画像の並ぶ方向が、前記指針画像の回転方向に対して平行であることを特徴とする請求項１に記載の車両用表示装置。
【請求項３】
前記表意画像のうち前記複数の要素画像の並ぶ方向の長さ（Ｌ１）が、前記複数の要素画像の並ぶ方向に対して垂直な方向の長さ（Ｌ２）よりも長いことを特徴とする請求項１または２に記載の車両用表示装置。
【請求項４】
前記斜面を下る方向において、前記要素画像の中の表示色または明度を異ならせていることを特徴とする請求項１〜３のいずれか１つに記載の車両用表示装置。
【発明の詳細な説明】
【技術分野】
【０００１】
本発明は、プロジェクタから射出された表示光をスクリーンに投射することで、車両情報を表した画像をスクリーンに表示させる車両用表示装置に関する。
【背景技術】
【０００２】
特許文献１には、車速等の車両情報を表した画像の表示光を射出するプロジェクタと、射出された表示光が投射されて上記画像を表示するスクリーンと、を備える表示装置が開示されている。そして、スクリーンには、画像が視認される方向の手前側または奥側に隆起する形状の隆起部が形成されており、これにより、画像を立体的に視認させるようにしている。
【先行技術文献】
【特許文献】
【０００３】
【特許文献１】特開２００７−３２６４１９号公報
【発明の概要】
【発明が解決しようとする課題】
【０００４】
さて、車両情報を表した上記画像には、指針を表した指針画像や、指針画像の背景を表した背景画像、数字、文字または図柄を表した表意画像等が含まれている。そして、スクリーンの隆起部に表示される画像には歪みが生じるが、背景画像に生じる歪みとは違い、上記表意画像の場合には僅かに歪んだだけで判読性が著しく悪くなる。
【０００５】
本発明は、上記問題を鑑みてなされたもので、その目的は、スクリーンに隆起部を形成して画像を立体的に視認させるようにしつつも、隆起部を形成することに起因した表意画像の判読性悪化を抑制するようにした、車両用表示装置を提供することにある。
【課題を解決するための手段】
【０００６】
本発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、本発明の技術的範囲を限定するものではない。
【０００７】
開示された発明のひとつは、車両情報を表した画像（Ｄ）の表示光（Ｐ）を射出するプロジェクタ（２０）と、表示光が投射されることにより画像を表示するスクリーン（３０）と、を備え、スクリーンは、斜面（３１ａ）を有する隆起部（３１）を有し、スクリーンに表示される画像には、斜面に表示されるとともに、数字、文字または図柄を表した複数の要素画像（Ｄ１８ａ、Ｄ１８ｂ、Ｄ１８ｃ）を組み合わせて構成された表意画像（Ｄ１２〜Ｄ１９）が含まれており、複数の要素画像は、斜面を下る方向とは交差する方向に並べて配置されていることを特徴とする。
【０００８】
さて、隆起部に表示される表意画像に歪みが生じる原因を、本発明者は次のように考察した。すなわち、表示光は拡大しながら進んでいくため、プロジェクタからスクリーンまでの光路長が長いほど、表示光の拡大度合いが大きくなり、スクリーンに表示される画像は大きくなる。そのため、表意画像の中の部位に応じて光路長が異なると、表意画像のうち光路長が長い部位は大きく表示され、光路長が短い部位は小さく表示されることとなり、その結果、表意画像に歪みが生じることとなる。
【０００９】
例えば図５に示すように、３つの要素画像Ｄａ、Ｄｂ、Ｄｃの各々が「１」「４」「０」であり、これらを組み合わせて「１４０」といった数字の画像（表意画像Ｄｘ）が構成されている場合について、上記歪みを説明する。図５の例では、表意画像Ｄｘがスクリーン３０の斜面３１ａに表示されており、要素画像「１」の光路長が要素画像「４」よりも長く、要素画像「０」の光路長が要素画像「４」よりも短い。すると、「１」が「４」よりも大きく表示され、「０」が「４」よりも小さく表示され、その結果、図５に示す通り「１４０」が歪んで表示される。
【００１０】
この点を鑑みた上記発明によれば、複数の要素画像は、スクリーンの斜面を下る方向とは交差する方向に並べて配置されている。そのため、複数の要素画像の光路長が互いに異なることを抑制できるので、表意画像に歪みが生じることを抑制できる。よって、スクリーンに隆起部を形成して画像を立体的に視認させるようにしつつも、隆起部を形成することに起因した表意画像の判読性悪化を抑制できる。
【図面の簡単な説明】
【００１１】
【図１】本発明の一実施形態に係る車両用表示装置について、全体構成を模式的に示す断面図。
【図２】図１に示すスクリーンに表示される、メータ画像の一態様を示す正面図。
【図３】図２のＩＩＩ−ＩＩＩ線に沿う断面図。
【図４】図２に示す表意画像の拡大図。
【図５】本発明者が検討した車両用表示装置であって、本発明の比較対象となる表示装置。
【発明を実施するための形態】
【００１２】
以下に、図面を参照しながら発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００１３】
図１に示すインストルメントパネル１０は、車両の室内のうちフロントウインドシールドの下方に配置されている。インストルメントパネル１０の開口部１０ａに取り付けられた透光カバー１１の裏側には、後に詳述する車両用表示装置が設置される。なお、図１中の上下前後方向を示す矢印は、車両用表示装置がインストルメントパネル１０に設置された状態における、車両の上下前後方向を示す。
【００１４】
車両用表示装置は、以下に説明するプロジェクタ２０、スクリーン３０および反射鏡４０を備える。プロジェクタ２０は、車両情報を表した画像の表示光Ｐを射出する。上記画像により表される「車両情報」の具体例としては、車速、エンジン回転速度、自動変速機のシフトレンジ、燃料残量、エンジン冷却水温度、各種警告情報等が挙げられる。
【００１５】
プロジェクタ２０は、以下に説明する拡大レンズ２１、表示光生成装置２２および図示しない光源を備える。表示光生成装置２２は、光源の光を液晶パネルに透過させて、所望の画像を表した表示光を生成する。或いは、高速回転するカラーフィルタに光源の光を透過させて、所望の画像を表した表示光を生成する。表示光生成装置２２により生成された画像の光は、拡大レンズ２１によって拡大された後、上記表示光Ｐとしてプロジェクタ２０から射出される。
【００１６】
反射鏡４０は、プロジェクタ２０から射出された表示光Ｐを、スクリーン３０へ向けて反射する。図１の例では、反射鏡４０の反射面は凸形状であり、表示光Ｐを拡大して反射する。反射鏡４０により反射された表示光Ｑは、スクリーン３０のうち視認者Ｍに対して反対側（奥側）から手前側へ透過する。スクリーン３０を透過した表示光Ｒは、透光カバー１１を通過して視認者Ｍであるユーザの目に入る。つまり、スクリーン３０への表示光Ｑの投射により、スクリーン３０に表示された画像がユーザにより視認される。
【００１７】
スクリーン３０は透光性を有する樹脂製の板であり、隆起部３１が形成された肉厚均一の板形状である。図２に示すように、スクリーン３０は、視認者Ｍ側から見て円形の形状であり、円形のスクリーン３０の中央に隆起部３１は位置する。スクリーン３０は、上記隆起部３１に加え、以下に説明する底部３２、傾斜部３３および外周部３４を有した形状である。また、視認者Ｍ側から見て、隆起部３１は円形の形状であり、底部３２、傾斜部３３および外周部３４は環状の形状である。隆起部３１の外周には底部３２の内周が繋がり、底部３２の外周には傾斜部３３の内周が繋がり、傾斜部３３の外周には外周部３４の内周が繋がる。
【００１８】
図３に示すように、隆起部３１は、視認者Ｍ側に隆起した形状、かつ、視認者Ｍ側に凸となる向きに湾曲した形状であり、隆起部３１の頂点３１ｂを頂点とした球面を形成する。頂点３１ｂに接する仮想面は、視認方向（図３の上下方向）に対して垂直である。したがって、隆起部３１のうち頂点３１ｂから離れた部分であるほど、上記仮想面に対する傾斜角度が大きくなる。この傾斜角度が所定角度（例えば４５度）以上となっている隆起部３１の部分が、特許請求の範囲に記載の斜面３１ａに相当する。
【００１９】
底部３２は、隆起部３１の外周端から径方向に延びる円環形状であり、上記仮想面に対して平行な板面を形成する。傾斜部３３は、底部３２の外周端から径方向に延びる円環形状であり、上記仮想面に対して一定の角度で視認者Ｍ側へ徐々に隆起する平坦な斜面を形成する。外周部３４は、傾斜部３３の外周端から径方向に延びる円環形状であり、上記仮想面に対して平行な板面を形成する。なお、隆起部３１の頂点３１ｂは、外周部３４よりも視認者Ｍ側に位置し、隆起部３１の斜面３１ａは外周部３４よりも視認者Ｍの反対側に位置する。
【００２０】
図２に示すように、スクリーン３０に表示される画像は、複数の部品が組み合わさって構成されたメータ装置を表した画像（メータ画像Ｄ）である。上記「複数の部品」とは、以下に説明する表示板Ｄ１０、目盛り板Ｄ２０、加飾リングＤ３０、Ｄ４０、指針Ｄ１０ａおよびボスＤ１０ｂである。これらの表示板Ｄ１０、目盛り板Ｄ２０、加飾リングＤ３０、Ｄ４０、指針Ｄ１０ａおよびボスＤ１０ｂは、実在する部品ではなく画像（部品画像）である。
【００２１】
表示板Ｄ１０は、数字Ｄ１１、Ｄ１２、Ｄ１３、Ｄ１４、Ｄ１５、Ｄ１６、Ｄ１７、Ｄ１８、Ｄ１９とともに隆起部３１に表示されている。また、指針Ｄ１０ａおよびボスＤ１０ｂも隆起部３１に表示されている。表示板Ｄ１０は、隆起部３１の外形に沿う円形であり、表示板Ｄ１０の中央に円形のボスＤ１０ｂが表示されている。指針Ｄ１０ａは、ボスＤ１０ｂから表示板Ｄ１０の径方向に延びる形状であり、ボスＤ１０ｂを中心に表示板Ｄ１０上を回転するように動画で表示される。数字Ｄ１１〜Ｄ１９は、斜面３１ａに表示されて車速を表す静止画像である。
【００２２】
数字Ｄ１１〜Ｄ１９、指針Ｄ１０ａおよびボスＤ１０ｂは、表示板Ｄ１０とは異なる色で表示されている。表示板Ｄ１０は、頂点３１ｂから外周端にかけて輝度が徐々に変化するようにグラデーション表示されている。具体的には、外周端に近いほど低輝度に表示している。これにより、隆起部３１の立体形状が強調して視認されるようになり、表示板Ｄ１０が実在しているかのようにユーザに錯覚させることができる。
【００２３】
なお、本明細書における「輝度」とは、光度を光源面積で割った値のことである。また、上記「光度」とは、波長毎の放射強度に波長毎の比視感度をかけた値を、積分して得られた値である。比視感度の一例として、国際度量衡総会で定められた標準比視感度が挙げられる。
【００２４】
表示板Ｄ１０が、指針Ｄ１０ａの背景を表した背景画像であるのに対し、数字Ｄ１１〜Ｄ１９は、一定の意味を持つ表意画像である。数字Ｄ１１は１桁の数字であり、数字Ｄ１２〜Ｄ１５は２桁の数字であり、数字Ｄ１６〜Ｄ１９は３桁の数字である。そして、２桁以上の数字Ｄ１２〜Ｄ１９については、複数の要素画像Ｄ１８ａ、Ｄ１８ｂ、Ｄ１８ｃ（図４参照）を組み合わせて構成された表意画像であると言える。例えば、図４に示す３桁の数字Ｄ１８は「１４０」を表しているが、「１」を表す要素画像Ｄ１８ａと、「４」を表す要素画像Ｄ１８ｂと、「０」を表す要素画像Ｄ１８ｃとを順に並べて構成されている。
【００２５】
複数の要素画像Ｄ１８ａ、Ｄ１８ｂ、Ｄ１８ｃは、斜面３１ａを下る方向とは交差する方向に並べて配置されている。この下る方向とは、隆起部３１の頂点３１ｂから径方向に延びる方向であり、以下、隆起部３１の径方向と呼ぶ。図２中の一点鎖線Ｋ１は、斜面３１ａのうち数字Ｄ１１〜Ｄ１９が表示されている部分において、径方向に対して垂直に延びる仮想線である。この仮想線Ｋ１は、頂点３１ｂを中心とした円形であり、隆起部３１の隆起高さが同一となる仮想の等高線であると言える。
【００２６】
要するに、複数の要素画像Ｄ１８ａ、Ｄ１８ｂ、Ｄ１８ｃは、隆起部３１に対して同心円である仮想線Ｋ１上に並べて配置されている。したがって、複数の要素画像Ｄ１８ａ、Ｄ１８ｂ、Ｄ１８ｃの並ぶ方向が、指針Ｄ１０ａの回転周方向に対して平行であるとも言える。なお、２桁以上の数字Ｄ１２〜Ｄ１９のうち複数の要素画像Ｄ１８ａ、Ｄ１８ｂ、Ｄ１８ｃの並ぶ方向の長さである横寸法Ｌ１が、その垂直な方向の長さである縦寸法Ｌ２よりも長い。
【００２７】
背景画像である表示板Ｄ１０とは異なる色で数字Ｄ１１〜Ｄ１９を表示していることは先述した通りであるが、隆起部３１の径方向、つまり斜面を下る方向において、要素画像Ｄ１８ａ、Ｄ１８ｂ、Ｄ１８ｃの中の明度または色を異ならせている。例えば、「０」を表す要素画像Ｄ１８ｃのうち、径方向の中心側、つまり斜面上側の部分に位置する上部Ｄ１８ｕと、斜面上側の部分に位置する下部Ｄ１８ｄとは、異なる明度または色で表示されている。具体的には、要素画像Ｄ１８ｃの下部Ｄ１８ｄは、上部Ｄ１８ｕに比べて膨張度合いの高い色または明度、或いは収縮度合いの低い色または明度で表示されている。また、斜面下側から上側に向かい、膨張度合いが徐々に小さくなるよう、或いは収縮度合いが徐々に大きくなるよう、要素画像Ｄ１８ｃはグラデーション表示されている。
【００２８】
ここで、膨張色および収縮色について以下に説明する。赤、橙、黄色のような暖色系の色は、実際のものよりも大きく見える。青、青緑のような寒色系の色は、実際よりも小さく見える。この大きさは色相だけでなく、明度からも影響を受けており、赤でもピンクのような明度の高い色は、膨張色としてより大きく見える。逆に収縮色は、寒色の中でも明度の低い色、例えば青でも紺のような明度の低い色は、収縮色としてより小さく見える。なお、明度のない黒も収縮色である。
【００２９】
図２の説明に戻り、目盛り板Ｄ２０は、目盛りＤ２１とともに底部３２に表示されている。目盛り板Ｄ２０は、底部３２の内周および外周に沿う円環形状である。目盛りＤ２１は、数字Ｄ１１〜Ｄ１９に対応する位置に表示されている。目盛り板Ｄ２０は、目盛りＤ２１の背景を表した背景画像である。目盛り板Ｄ２０は、目盛りＤ２１とは異なる色であり、かつ、表示板Ｄ１０の外周端と同一の輝度で表示されている。上述した数字Ｄ１１〜Ｄ１９および目盛りＤ２１についても、実在する印刷物ではなく画像である。そして、回転表示される指針Ｄ１０ａは、回転して目盛りＤ２１を指示する。これにより、メータ画像Ｄは車両情報である車速を表す。
【００３０】
加飾リングＤ３０、Ｄ４０は、傾斜部３３および外周部３４に表示されている。傾斜部３３に表示されている加飾リングＤ３０は、内周端から外周端にかけて輝度が徐々に変化するようにグラデーション表示されている。外周部３４に表示されている加飾リングＤ４０は、加飾リングＤ３０の外周端と同一の輝度で表示されている。
【００３１】
次に、上述の如く要素画像Ｄ１８ａ、Ｄ１８ｂ、Ｄ１８ｃを仮想線Ｋ１上に並べて配置することの技術的意義について説明する。
【００３２】
プロジェクタ２０から出射される表示光Ｐは拡大レンズ２１により拡大されており、さらにその表示光Ｐは反射鏡４０により拡大されている。よって、スクリーン３０に投影される表示光Ｑは拡大しながら進んでいく。そのため、プロジェクタ２０からスクリーン３０までの光路長が長いほど、表示光Ｑの拡大度合いが大きくなり、スクリーン３０に表示される画像は大きくなる。そのため、図５に示すように、本実施形態に反して３つの要素画像Ｄａ、Ｄｂ、Ｄｃを斜面３１ａの下る方向（つまり径方向）に並べて配置すると、各々の要素画像Ｄａ、Ｄｂ、Ｄｃの光路長は、図３中のＱ１、Ｑ２、Ｑ３に示すように異なってくる。
【００３３】
具体的には、３本の異なる仮想線Ｋ１、Ｋ２、Ｋ３（図３および図５参照）上に各々の要素画像Ｄａ、Ｄｂ、Ｄｃが配置されており、斜面３１ａの上側であるほど光路長Ｑ１、Ｑ２、Ｑ３は長くなる。よって、「１」を表す要素画像Ｄａは「０」を表す要素画像Ｄｃよりも拡大して表示される。その結果、図５に示す通り「１４０」を表す表意画像Ｄｘは歪んで表示される。
【００３４】
この点を鑑みた本実施形態によれば、複数の要素画像Ｄ１８ａ、Ｄ１８ｂ、Ｄ１８ｃは、斜面３１ａの周方向に並べて配置されている。つまり、複数の要素画像Ｄ１８ａ、Ｄ１８ｂ、Ｄ１８ｃは、同一の等高線（仮想線Ｋ１）上に配置されている。そのため、複数の要素画像Ｄ１８ａ、Ｄ１８ｂ、Ｄ１８ｃの光路長が互いに異なることを抑制できるので、数字Ｄ１２〜Ｄ１９に歪みが生じることを抑制できる。よって、スクリーン３０に隆起部３１を形成して表示板Ｄ１０の画像を立体的に視認させるようにしつつも、隆起部３１を形成することに起因した数字Ｄ１２〜Ｄ１９の判読性悪化を抑制できる。
【００３５】
さらに本実施形態では、スクリーン３０に表示されるメータ画像Ｄには、車両情報に応じて回転する指針を表した指針画像Ｄ１０ａ、および指針画像により指し示される目盛りを表した目盛り画像Ｄ２１が含まれている。そして、複数の要素画像Ｄ１８ａ、Ｄ１８ｂ、Ｄ１８ｃの並ぶ方向が、指針画像Ｄ１０ａの回転方向に対して平行である。
【００３６】
そのため、斜面３１ａを下る方向とは交差する方向に複数の要素画像Ｄ１８ａ、Ｄ１８ｂ、Ｄ１８ｃを並べた結果、表意画像の向きが視認者Ｍから見て傾いていても、視認者Ｍに与える違和感を軽減できる。例えば、図２に示す数字Ｄ１８は視認者Ｍから見て９０度回転して傾いているが、指針Ｄ１０ａの回転方向と数字Ｄ１８の向きが一致するので、視認者Ｍに与える違和感を軽減でき、数字Ｄ１８（表意画像）の判読性低下を抑制できる。
【００３７】
さらに本実施形態では、表意画像のうち複数の要素画像の並ぶ方向の長さ（例えば数字Ｄ１２〜Ｄ１９の横寸法Ｌ１）が、複数の要素画像の並ぶ方向に対して垂直な方向の長さ（例えば数字Ｄ１２〜Ｄ１９の縦寸法Ｌ２）よりも長い。そのため、図５に例示するように斜面３１ａの下る方向に要素画像Ｄ１８ａ、Ｄ１８ｂ、Ｄ１８ｃを並べると、要素画像Ｄ１８ａ、Ｄ１８ｂ、Ｄ１８ｃ毎の光路長Ｑ１、Ｑ２、Ｑ３の差が大きくなり、表意画像Ｄｘの歪みが顕著になる。よって、このように横寸法Ｌ１が縦寸法Ｌ２よりも長い場合に要素画像Ｄ１８ａ、Ｄ１８ｂ、Ｄ１８ｃを仮想線Ｋ１に沿って並べる本実施形態によれば、表意画像の歪み抑制の効果が顕著に発揮される。
【００３８】
さらに本実施形態では、斜面３１ａを下る方向において、要素画像の中の表示色または明度を異ならせている。例えば、要素画像Ｄ１８ｃのうち斜面上側の部分に位置する上部Ｄ１８ｕと、斜面上側の部分に位置する下部Ｄ１８ｄとは、異なる色または明度で表示されている。
【００３９】
さて、一つの要素画像の中でも、斜面３１ａを下る方向において斜面上側の部分と斜面下側の部分とでは、光路長が異なるため、表示される大きさが僅かに異なってくる。例えば、要素画像Ｄ１８ｃの上部Ｄ１８ｕは、厳密に言えば下部Ｄ１８ｄよりも光路長が長い。この点を鑑み、本実施形態では、斜面３１ａを下る方向において要素画像Ｄ１８ｃの中の表示色または明度を異ならせている。そのため、隆起に起因して大きく表示される部分（例えば上部Ｄ１８ｕ）を収縮色にし、隆起に起因して小さく表示される部分（例えば下部Ｄ１８ｄ）を膨張色にすることで、要素画像Ｄ１８ｃの中で生じる画像の歪みが目立たないようにできる。
【００４０】
（他の実施形態）
本発明は上記実施形態の記載内容に限定されず、以下のように変更して実施してもよい。また、各実施形態の特徴的構成をそれぞれ任意に組み合わせるようにしてもよい。
【００４１】
・上記実施形態に係る要素画像Ｄ１８ａ、Ｄ１８ｂ、Ｄ１８ｃは、斜面３１ａを下る方向と直交する方向に並べて配置されている。しかし、本発明に係る要素画像の並び方向は、斜面３１ａを下る方向と直交に限られるものではなく、斜面３１ａを下る方向と交差する方向に並んでいればよい。但し、直交する方向に並べると、歪みを最大限に抑制でき、好適である。
【００４２】
・図２および図３に示す例では、隆起部３１が球面形状であり、その球面上に表意画像Ｄ１２〜Ｄ１９が表示されている。これに対し、円筒形状の外周面または内周面の如く、一方向に湾曲した湾曲面上に表意画像Ｄ１２〜Ｄ１９が表示されていてもよい。この場合には、湾曲面の斜面を下る方向とは交差する方向に要素画像Ｄ１８ａ、Ｄ１８ｂ、Ｄ１８ｃを並べて配置することとなる。例えば、円筒の軸方向と平行に要素画像Ｄ１８ａ、Ｄ１８ｂ、Ｄ１８ｃを並べれば、複数の要素画像の光路長を同一にでき、歪み抑制の効果を向上できる。
【００４３】
・図２および図３に示す隆起部３１は、視認方向の手前側に隆起する形状であるが、視認方向の奥側に隆起する形状であってもよい。
【００４４】
・図２に示す例では、表意画像Ｄ１２〜Ｄ１９が数字であり、その数字を構成する各桁の数字を要素画像Ｄ１８ａ、Ｄ１８ｂ、Ｄ１８ｃとしている。これに対し、表意画像が文字であり、その文字を構成する１字ずつを要素画像としてもよい。例えば、「ＣＨＡＲＧＥ」といった文字を構成するアルファベットの１字ずつを要素画像とし、各々のアルファベットを図１中の一点鎖線Ｋ１（つまり等高線）に沿って並べては位置すればよい。或いは、表意画像が複数の要素画像から構成される図柄、例えば天候を表す図柄や、空調装置による送風状態を表す図柄、車両の異常状態を表す図柄等であってもよい。また、これらの数字、文字、図柄を組み合わせて表意画像が構成されていてもよい。
【００４５】
・図１に示す実施形態では、スクリーン３０に対して視認者Ｍの反対側から表示光Ｑを入射させて、表示光Ｑがスクリーン３０を透過して視認者Ｍの目に入るように、車両用表示装置は構成されている。これに対し、スクリーン３０に対して視認者Ｍの側から表示光を入射させて、表示光がスクリーン３０を反射して視認者Ｍの目に入るように構成されていてもよい。
【符号の説明】
【００４６】
２０…プロジェクタ、３０…スクリーン、３１…隆起部、３１ａ…斜面、Ｄ…メータ画像（画像）、Ｄ１２〜Ｄ１９…数字（表意画像）、Ｄ１８ａ、Ｄ１８ｂ、Ｄ１８ｃ…要素画像、Ｐ…表示光。
【図１】
0005962624.tif 000002
【図２】
0005962624.tif 000003
【図３】
0005962624.tif 000004
【図４】
0005962624.tif 000005
【図５】
0005962624.tif 000006